(57)【特許請求の範囲】
【請求項１】
内框に取り付けられる内フレームに一端を揺動可能に支承され、他端に鈎形部を形成したカマを外框に装着されたストライク板に引っ掛けて引戸を施錠するようにしたものにおいて、上記カマと係合すると共に内框において上下方向に移動可能に案内され、その移動に連動してカマを施錠位置に振り出し或いは解錠位置に復帰させる駆動板と、この駆動板に突設され、ストライク板と対向するフロント板の開口内に露呈された係合片と、上記駆動板に連結され、室内側から駆動板を操作する操作部材と、外框に取り付けられる外フレームに内筒の回動軸線を水平にして配設され、内筒の内端に第１ピニオンを連結したシリンダ錠と、外フレーム内において上下方向に延在すると共に上下動可能に案内され、上記第１ピニオンと噛み合う第１ラック、及び相互に平行で共に上下方向に延在する一対の第２ラックを形成した作動板と、外フレームにおいて水平軸に回動可能に支承され、作動板の上昇或いは下降に対応して一対の第２ラックの何れかに選択的に噛み合う一対の第２ピニオンと、一方の第２ピニオンに一体的に結合された直線状のレバー体で、常態においてはほぼ上下方向に延在する角度位置をとるが、その一方の第２ピニオンの回動に伴って自由端がフロント板方向に振り出され、上記駆動板の係合片を押動して、解錠位置のカマを施錠位置に振り出させる施錠アームと、他方の第２ピニオンに一体的に結合された直線状のレバー体で、常態においてはほぼ上下方向に延在する角度位置をとるが、その他方の第２ピニオンの回動に伴って自由端がフロント板方向に振り出され、上記駆動板の係合片を施錠時とは反対方向に押動して、施錠位置のカマを解錠位置に振り戻させる解錠アームと、施錠アーム及び解錠アームを外フレーム内に収納させる方向に付勢させる戻しばねとを有し、施解錠時合鍵を所定の方向に一定角度回動させた後、同じ角度回し戻して合鍵を鍵孔から抜くことを特徴とする引戸錠。
【発明の詳細な説明】
【０００１】
【発明の属する技術分野】
この発明は、２つの引戸をその召し合せ部分で施錠するための引戸錠に関する。
【０００２】
【従来の技術】
特公平６−２５５０４号公報に示された引戸錠は、同公報に記載された通り、カマを内框側（室内側の引戸における框）に設けた引戸錠において、２つの引戸間の上下方向のずれ並びに厚さ方向の間隙の静的又は動的な変動に対応できるようにすると共に、確実な施解錠作動が達成できるようにしたものとして提案されている。
【０００３】
しかしながら、その従来の引戸錠には、構造上厚さの薄い引戸に対しては、採用しにくいという問題が残されている。その理由は、例えば、一つには、一対のアームを枢支した外框内のホルダが前後（引戸の厚さ方向）に移動可能にしてあるためである。
【０００４】
また、他の一つには、外框に取り付けられているシリンダ錠はその内筒が前後に摺動される形式であるためで、外框側の錠機構の厚さはかなり厚くなってしまうことになる。
【０００５】
【発明が解決しようとする課題】
この発明の引戸錠は、厚さの薄い引戸に対しても適用できるように改良することを目的とする。
【０００６】
【課題を解決するための手段】
この発明の引戸錠は、内框に取り付けられる内フレームに一端を揺動可能に支承され、他端に鈎形部を形成したカマを外框に装着されたストライク板に引っ掛けて引戸を施錠するようにしたものにおいて、上記カマと係合すると共に内框において上下方向に移動可能に案内され、その移動に連動してカマを施錠位置に振り出し或いは解錠位置に復帰させる駆動板と、この駆動板に突設され、ストライク板と対向するフロント板の開口内に露呈された係合片と、上記駆動板に連結され、室内側から駆動板を操作する操作部材と、外框に取り付けられる外フレームに内筒の回動軸線を水平にして配設され、内筒の内端に第１ピニオンを連結したシリンダ錠と、外フレーム内において上下方向に延在すると共に上下動可能に案内され、上記第１ピニオンと噛み合う第１ラック、及び相互に平行で共に上下方向に延在する一対の第２ラックを形成した作動板と、外フレームにおいて水平軸に回動可能に支承され、作動板の上昇或いは下降に対応して一対の第２ラックの何れかに選択的に噛み合う一対の第２ピニオンと、一方の第２ピニオンに一体的に結合された直線状のレバー体で、常態においてはほぼ上下方向に延在する角度位置をとるが、その一方の第２ピニオンの回動に伴って自由端がフロント板方向に振り出され、上記駆動板の係合片を押動して、解錠位置のカマを施錠位置に振り出させる施錠アームと、他方の第２ピニオンに一体的に結合された直線状のレバー体で、常態においてはほぼ上下方向に延在する角度位置をとるが、その他方の第２ピニオンの回動に伴って自由端がフロント板方向に振り出され、上記駆動板の係合片を施錠時とは反対方向に押動して、施錠位置のカマを解錠位置に振り戻させる解錠アームと、施錠アーム及び解錠アームを外フレーム内に収納させる方向に付勢させる戻しばねとを有し、施解錠時合鍵を所定の方向に一定角度回動させた後、同じ角度回し戻して合鍵を鍵孔から抜くことを特徴とする。
【０００７】
【発明の実施の形態】
以下、図面に示す実施例に基づいてこの発明について説明する。
図１及び図２において、符号１０は室内側引戸の框、すなわち内框、２０は室外側引戸の框、すなわち外框をそれぞれ示す。
【０００８】
箱状の内フレーム１は内側化粧板１１及びフロント板１２と共に内框１０にねじ９１、９２等で固定され、同様に箱状をなす外フレーム２は外側化粧板２１、ストライク板２２及び取付板２３と共に、外框２０にねじ９３等で固定される。
【０００９】
内フレーム１内に横軸３１で枢支される錠止部材であるカマ３は、後記の駆動板４の上下動により揺動して外框２０のストライク２２の係入孔２４に係脱して施錠位置又は解錠位置を占める。
【００１０】
内フレーム１内にそのフレーム１の内壁面など任意の案内手段で案内されるようにして上下動可能に設けられた駆動板４は、室内側から手指により操作部材４１で操作される。
【００１１】
操作部材４１は内側化粧板１１と止め板１３とで作られた空間内に納められ、つまみ４２で駆動板４と共に上下動される。操作部材４１と駆動板４との間はピン４３で結合されている。
【００１２】
例えば、横断面がＵ字状に形成された駆動板４内には、外框２０の外フレーム２に向けて係合片４４が一体に又は別体として突設してある。図示例の係合片４４は全体がＬ字状に作られ、ねじ等で駆動板４の底面に固定されている。
【００１３】
上記のカマ３には、厚さ方向にだるま形など非円形の係合孔３２が設けてあり、その係合孔３２に対し駆動板４に固設した駆動ピン４５が遊嵌させてある。
【００１４】
このような駆動ピン４５と係合孔３２とからなる連係手段の存在により、駆動板４が図１で下方へ移動すると、カマ３は矢印Ａのように振り出され、ストライク板２２の係入孔２４に係入されて施錠状態となる。また、駆動板４が逆に上方に戻ると、カマ３は矢印Ａとは逆の方向に振り戻され、図１の解錠位置に復帰する。
【００１５】
なお、図１で符号４６は、不正解錠を防止するため施錠時内フレーム１から水平方向に選択的に突出できるように、駆動板４に連係させて設けた防護フード、４７は駆動板４に設けた上記横軸３１の逃げ孔、３３はカマ３のクリックばね、３４は駆動板４によって作動されカマ３を施錠位置で選択的に固定する錠止片である。
【００１６】
以上に説明した内框１０側の内フレーム１における錠機構については、前出の公告公報等に示され公知であるから、その構造又は作動についての更に詳しい説明はここでは省略する。
【００１７】
一方、図１及び図２に示すように外框２０に取り付けられる外フレーム２の上方部には、ディスクタンブラー錠その他のシリンダ錠５を鍵の差し込み方向Ｋがストライク板２２と直角をなすようにして装着してあり、その内筒５１は、テールピース５２を介して外フレーム２内で支承された第１ピニオン７１に結合させてある。
【００１８】
また、外フレーム２内には、そのフレーム２の内壁面など任意の案内手段で案内されるようにして上下動可能に作動板６が設けられている。
【００１９】
その作動板６は、図３に明示するように、例えば１枚の板材をＬ字状に折り曲げて作ってあり、一片の一端部（図で上端部）に第１ラック６１を、他片に一対の第２ラック６２、６２ａを備えている。
【００２０】
図１及び図２に示すように、作動板６の第１ラック６１は上記の第１ピニオン７１に噛み合わせてあり、また、一対の第２ラック６２、６２ａはそのフレーム２にストライク板２２と直角をなす水平軸７３を介して支承された一対の第２ピニオン７２、７２ａに対し、それぞれ選択的に噛み合わせるものである。対をなす第２ピニオン７２、７２ａは互に独立して回動できる。
【００２１】
図３に示す作動板６において、符号６３、６３ａは、一対の第２ラック列６２、６２ａが対応する第２ピニオン７２、７２ａと非噛合状態とされるべきときの逃げ孔、符号６４は第２にピニオン７２、７２ａの水平軸７３が貫通する逃げ孔である。
【００２２】
さらに、図１、図２及び図４を参照して、一対の第２ピニオンの一方７２には直線状のレバー体である施錠アーム７を一体に又は別体として形成する。
【００２３】
施錠アーム７は、図１に示す一の状態、すなわち、シリンダ錠の合鍵を解錠方向に回し、反対方向に同じ角度回し戻して合鍵を鍵孔から抜いた状態では時計盤面に換算してほぼ１２時の角度位置をとるが、一方の第２ピニオン７２の回動に伴って揺動し、上記駆動板４の係合片４４に例えば上から当接してこれを下方に押し下げ、解錠位置のカマ３を施錠位置に振り出すことができる。
【００２４】
また、同様に、一対のピニオンの他方７２ａには、施錠アーム７と上下対称的な形状の解錠アーム７ａを一体に又は別体として形成する。
【００２５】
施錠アーム７ａは、図１に示す一の常態では時計盤面に換算してほぼ６時の角度位置をとるが、他方の第２ピニオン７２ａの回動に伴って揺動し、上記駆動板４の係合片４４に例えば下から当接してこれを上方に押上げ、施錠位置のカマ３を施錠位置に振り戻すことができる。
【００２６】
前記の両アーム７、７ａはそれらの第２ピニオン７２、７２ａがそれぞれ対応する作動板６上の第２ラック７２、７２ａに噛合わされていない時、各アーム７（７ａ）の先端がストライク板２２から突出しないようにするための戻しばね７５を備えている（図１参照）。
【００２７】
図示例の戻しばね７５は１つのコイル状のねじりばねであり、その両端が両アーム７、７ａの基端部に設けたばね掛け７４、７４ａ（図４参照）にそれぞれ係止してある。戻しばね７５は他の種類のばねとしてもよいし、両アーム７、７ａに対し各別に設けてもよいことは勿論である。
【００２８】
以上の構成のこの発明の引戸錠について、図１及び図２を参照してその作用を説明する。
【００２９】
室内側から操作部材４１のつまみ４２により施解錠操作する場合、外フレーム２内の機構とは独立して駆動板４が上下動され、カマ３が突出入して施解錠されるものであることは、従来のものと何ら変わりがないので、ここでは鍵を用いた施解錠操作についてのみ説明する。
【００３０】
図１の解錠状態において、シリンダ錠５に対し矢印Ｋで示す方向に鍵（図示しない）を差し込み時計方向に回動させると、第１ピニオン７１と第１ラック６１において噛み合う作動板６が上昇する。
【００３１】
すると、作動板６上の一方の第２ラック６２と噛み合う一方の第２ピニオン７２がその回動に伴って戻しばね７５に抗して施錠アーム７を矢印Ｂ方向に揺動させる。この際、他方の第２ピニオン７２ａは作動板６の逃げ孔６３ａにはまり込んでいるので、回動しない。
【００３２】
そして、施錠アーム７が駆動板４の係合片４４を上から押圧して駆動板４を降下させるので、カム３は矢印Ａのように振り出され、フロント板２２の係入孔２４に係入されて施錠状態となる。
【００３３】
施錠後、鍵を反時計方向に回して元の角度位置に戻し引き抜くことにより施錠操作が完了する。
【００３４】
施錠状態の引戸錠を解錠するには、シリンダ錠５に差し込んだ鍵を逆に反時計方向に回動させる。
【００３５】
この場合、前記施錠作動に準じ、作動板６が降下すると、他方の第２ラック６２ａと噛み合う他方の第２ピニオン７２ａがその回動に伴って戻しばね７５に抗して解錠アーム７ａを矢印Ｃ方向に揺動させる。
【００３６】
そして、解錠アーム７ａが駆動板４の係合片４４を下から押圧して駆動板４を上昇させるので、カム３は施錠位置から振り戻されて解錠位置に戻ることになる。
【００３７】
解錠後、鍵を時計方向に回して元の角度位置に戻し引き抜くことにより解錠操作が完了する。
【００３８】
【発明の効果】
以上に説明したこの発明の引戸錠によれば、外框側の外フレームに装着される施解錠機構には、従来の引戸錠に見られるホルダのようなストライク板と直角をなす水平方向に可動の枠体を備えていないので、その機構を全体として薄く作ることができ、厚さのごく厚い引戸にも十分適用できるという効果を奏する。
【００３９】
また、この発明の引戸錠は、２つの引戸間の上下方向のずれ並びに厚さ方向の静的又は動的な変動に対応できるばかりでなく、確実な施解錠作動が達成できるものでもある。
【図面の簡単な説明】
【図１】この発明の引戸錠の実施例を示す縦断側面図。
【図２】外側化粧板を外して後方から見た一部断面背面図。
【図３】図１の引戸錠から取り外した作動板を示し、（Ａ）は側面図、（Ｂ）は背面図、（Ｃ）は平面図である。
【図４】図１の引戸錠から取り外した第２ピニオンと一体の施錠アーム又は解錠アームを示し、（Ａ）は側面図、（Ｂ）は背面図である。
【符号の説明】
１０  内框
２０  外框
１  内フレーム
２  外フレーム
２２  ストライク板
３  カマ
４  駆動板
４１  操作部材
４４  係合片
５  シリンダ錠
５１  内筒
６  作動板
６１  第１ラック
６２  第２ラック
６２ａ  第２ラック
７  施錠アーム
７ａ  解錠アーム
７１  第１ピニオン
７２  第２ピニオン
７２ａ  第２ピニオン
７５  戻しばね
【図１】
0003717985.tif 000002
【図２】
0003717985.tif 000003
【図３】
0003717985.tif 000004
【図４】
0003717985.tif 000005